【手続補正書】
【提出日】平成17年7月20日(2005.7.20)
【手続補正１】
【補正対象書類名】明細書
【補正対象項目名】特許請求の範囲
【補正方法】変更
【補正の内容】
【特許請求の範囲】
【請求項１】
入場者の各々に所持され、固有番号を有し、トリガー信号に応答するＩＤタグと、
複数のイベント会場の各々に設けられ、前記トリガー信号を発信するトリガー信号発信部を有する入場者管理装置とを含み、
前記ＩＤタグおよび前記入場者管理装置は、それぞれ、前記トリガー信号に応答して前記固有番号を出力するか、または、前記トリガー信号とともに入場者数管理装置の固有番号を出力し、
前記ＩＤタグが前記固有番号を出力したときは、前記入場者管理装置が前記固有番号を受信し、前記入場者管理装置が前記トリガー信号とともに自分の固有番号を出力した時は、前記ＩＤタグが前記入場者管理装置の固有番号を受信する、入場者数計測システム。
【請求項２】
入場者の各々に所持され、トリガー信号に応答して固有の識別番号を出力するＩＤタグと、
複数のイベント会場の各々に設けられ、
前記トリガー信号を発信するトリガー信号発信部と、
前記トリガー信号に応答して前記ＩＤタグが出力した固有番号を受信するＩＤ受信部と、
を含む、入場者数計測システム。
【請求項３】
前記ＩＤ受信部は前記固有番号を所定時間以上受信したときのみ、固有番号を記録する、請求項２に記載の入場者数計測システム。
【請求項４】
前記ＩＤ受信部は前記固有番号の受信時間を記憶する、請求項３に記載の入場者数計測システム。
【請求項５】
前記ＩＤ受信部は、それぞれの入場者数管理装置に設けられ、
前記入場者数管理装置は複数設けられ、
前記複数の入場者管理装置は、管理コンピュータに接続され、
前記ＩＤ受信部の受信した固有番号または前記受信時間は、前記管理コンピュータが記録する、請求項３または４に記載の入場者数計測システム。
【請求項６】
前記複数のイベント会場の各々に設けられたトリガー信号発信部のうち、隣接して設けられているトリガー信号発信部は、トリガー信号の出力タイミングが重複しないよう制御される、請求項２に記載の入場者数計測システム。
【請求項７】
入場者の各々に所持され、固有番号を有し、トリガー信号に応答するＩＤタグと、
複数のイベント会場の各々に設けられ、前記トリガー信号を発信するトリガー信号発信部を有する入場者管理装置とを含み、
前記トリガー信号は前記イベント会場を特定するイベント会場特定番号を含み、
前記ＩＤタグは前記イベント会場特定番号を受信して記憶する特定番号記憶部とを含む、入場者数計測システム。
【手続補正２】
【補正対象書類名】明細書
【補正対象項目名】０００６
【補正方法】変更
【補正の内容】
【０００６】
この発明にかかる入場者数計測システムは、入場者の各々に所持され、固有番号を有し、トリガー信号に応答するＩＤタグと、複数のイベント会場の各々に設けられ、トリガー信号を発信するトリガー信号発信部を有する入場者管理装置とを含み、ＩＤタグおよび入場者管理装置は、ＩＤタグがトリガー信号に応答してＩＤタグの固有番号を出力するか、または、入場者管理装置がトリガー信号とともに入場者管理装置を特定する固有番号を出力し、ＩＤタグがトリガー信号に応答してＩＤタグの固有番号を出力したときは、入場者管理装置が固有番号を受信し、入場者管理装置がトリガー信号とともに入場者管理装置の固有番号を出力した時は、ＩＤタグが入場者管理装置の固有番号を受信する。
【手続補正３】
【補正対象書類名】明細書
【補正対象項目名】００１０
【補正方法】変更
【補正の内容】
【００１０】
この発明の他の局面においては、入場者数計測システムは、入場者の各々に所持され、トリガー信号に応答して固有の識別番号を出力するＩＤタグと、複数のイベント会場の各々に設けられ、トリガー信号を発信するトリガー信号発信部と、トリガー信号に応答してＩＤタグが出力した固有番号を受信するＩＤ受信部とを含む。
【手続補正４】
【補正対象書類名】明細書
【補正対象項目名】００１１
【補正方法】変更
【補正の内容】
【００１１】
入場者がＩＤタグを有して、イベント会場へ近づくだけで自動的に各入場者からトリガー信号に応答して出力された固有番号を複数のイベント会場の各々で受信するため、各イベント会場にどの入場者が訪れたかを正確に計測できる。その結果、入場者に煩雑な処理を要求することなく正確な入場者情報が得られる入場者数計測システムを提供できる。
【手続補正５】
【補正対象書類名】明細書
【補正対象項目名】００１２
【補正方法】変更
【補正の内容】
【００１２】
入場者数計測システムは固有番号を管理コンピュータに送信してもよいし、ＩＤ受信部の受信した固有番号を記憶してもよい。
【手続補正６】
【補正対象書類名】明細書
【補正対象項目名】００１４
【補正方法】変更
【補正の内容】
【００１４】
好ましくは、ＩＤ受信部は固有番号を所定時間以上受信したときのみ、固有番号を記録する。
【手続補正７】
【補正対象書類名】明細書
【補正対象項目名】００１６
【補正方法】変更
【補正の内容】
【００１６】
さらに好ましくは、ＩＤ受信部は固有番号の受信時間を記憶する。
【手続補正８】
【補正対象書類名】明細書
【補正対象項目名】００１８
【補正方法】変更
【補正の内容】
【００１８】
さらに好ましくは、ＩＤ受信部は、それぞれの入場者数管理装置に設けられ、入場者数管理装置は複数設けられ、複数の入場者管理装置は、管理コンピュータに接続され、ＩＤ受信部の受信した固有番号または受信時間は、管理コンピュータが記録する。
【手続補正９】
【補正対象書類名】明細書
【補正対象項目名】００１９
【補正方法】変更
【補正の内容】
【００１９】
複数の入場者管理装置のＩＤ受信部で受信された固有番号または受信時間は、管理コンピュータで記録されるため、入場者数ごとの各ブースへの訪問回数を知ることができる。その結果、どの入場者がどのブースにどの程度興味があったかという情報を得ることができる。
【手続補正１０】
【補正対象書類名】明細書
【補正対象項目名】００２０
【補正方法】変更
【補正の内容】
【００２０】
さらに好ましくは、複数のイベント会場の各々に設けられたトリガー信号発信手段のうち、隣接して設けられているトリガー信号発信部はトリガー信号の出力タイミングが重複しないよう制御される。
【手続補正１１】
【補正対象書類名】明細書
【補正対象項目名】００２１
【補正方法】変更
【補正の内容】
【００２１】
隣接して設けられているトリガー信号発信部はトリガー信号の出力タイミングが重複しないよう制御されるため、他ブースの入場者を自ブースの入場者と誤って認識することが無い。
【手続補正１２】
【補正対象書類名】明細書
【補正対象項目名】００２２
【補正方法】変更
【補正の内容】
【００２２】
なお、トリガー信号発信部とＩＤ受信部はイベント会場の入口部の入場者の足元に設置されてもよい。トリガー信号の発信アンテナと固有番号ＩＤ受信アンテナをイベント会場の入口部の足元に置かれるため、入場者の通行の邪魔にならない。
【手続補正１３】
【補正対象書類名】明細書
【補正対象項目名】００２３
【補正方法】変更
【補正の内容】
【００２３】
さらに好ましくは、トリガー信号発信部は所定の周波数のトリガー信号を発信し、複数のイベント会場のうちの隣接する会場におけるトリガー信号発信部の発信周波数は相互に異なる。
【手続補正１４】
【補正対象書類名】明細書
【補正対象項目名】００２４
【補正方法】変更
【補正の内容】
【００２４】
隣接する会場におけるトリガー信号発信部の発信周波数を相互に異ならせることによって、隣接する会場における固有番号の誤った受信を避けることができ、データの信頼性を高めることができる。
【手続補正１５】
【補正対象書類名】明細書
【補正対象項目名】００２５
【補正方法】変更
【補正の内容】
【００２５】
この発明の他の局面によれば、入場者数計測システムは、入場者の各々に所持され、固有番号を有し、トリガー信号に応答するＩＤタグと、複数のイベント会場の各々に設けられ、トリガー信号を発信するトリガー信号発信部を有する入場者管理装置とを含み、トリガー信号はイベント会場を特定するイベント会場特定番号を含み、ＩＤタグはイベント会場特定番号を受信して記憶する特定番号記憶部とを含む。